(57)【要約】【課題】            マグネトロン電源装置にあって、高周波で電力を送るインバータ方式を採用する場合、チョークコイルを回路に組み入れると定電流コントロールを行なうことができず不安定となってしまい、系が安定しないという点である。【解決手段】        パワースイッチとパルストランスを含めたインバータとマグネトロン発振器とを組み入れたマグネトロン電源装置であって、マグネトロン発振器のグランド側もしくは高圧側にコイル素子と、そのコイル素子と並列とした抵抗素子とを組み込んであることとし、前記したコイル素子と抵抗素子にはさらにバリスタを並列に組み込んであることとする。【選択図】          図１
2008098082.tif 000002
【特許請求の範囲】
【請求項１】
パワースイッチとパルストランスを含めたインバータとマグネトロン発振器とを組み入れたマグネトロン電源装置であって、マグネトロン発振器のグランド側もしくは高圧側にコイル素子と、そのコイル素子と並列とした抵抗素子とを組み込んであることを特徴とするマグネトロン電源装置。
【請求項２】
前記したコイル素子と抵抗素子にはさらにバリスタを並列に組み込んであることを特徴とする請求項１に記載のマグネトロン電源装置。
【発明の詳細な説明】
【技術分野】
【０００１】
本発明はマグネトロン発振器が組み込まれたマグネトロン電源装置に関し、特に業務用、家庭用の電子レンジ用として使用されるマグネトロン電源装置に関する。
【背景技術】
【０００２】
一般的に、上記したマグネトロン電源装置の回路構成は、その電力供給が通常のＡＣラインよりなされるものとなっており、このＡＣラインから入力された電力は三相２００ｖ、５０Ｈｚもしくは６０Ｈｚとされる。この入力された電力は三つの三端子双方向サイリスタ（トライアック、商品名）によって制御される。
【０００３】
ＡＣラインから入力された電力は前記した三つの三端子双方向サイリスタによってその位相の点弧角を制御されて昇圧トランスに入力される。この昇圧トランスは一次側にＡＣラインからの２００Ｖが入ると二次側は１０００Ｖ〜４０００Ｖに達し、これを倍圧整流して２０００Ｖ〜８０００Ｖとし、マグネトロン発振器のグランド側と高圧側に組み込まれた二つのコンデンサの各々の両端に出力する。
【０００４】
即ち、マグネトロン発振器に供給される電力はこの２０００Ｖ〜４０００Ｖが加えられることとなる。制御はＡＣ位相制御方式の定電流コントロールによって電流を定電流化して行なっている。
【０００５】
また、この従来の回路にはチョークコイルがマグネトロン発振器の高圧側に組み入れられており、このチョークコイルに大きな値を入れ、リップルフィルターとしている。このリップルフィルターとしてチョークコイルを使用しているのは抵抗を挿入すると効率が悪くなってしまうためであり、この回路にあっては前記した二つのコンデンサはリップルフィルターとして効をなさないためである。尚、マグネトロン発振器は勿論ヒータートランスと接続されている。
【特許文献１】特開２００６−２０２６７０号公報
【発明の開示】
【発明が解決しようとする課題】
【０００６】
本発明が解決しようとする問題点は、上記したようなマグネトロン電源装置にあって、高周波で電力を送るインバータ方式を採用する場合、チョークコイルを回路に組み入れると定電流コントロールを行なうことができず不安定となってしまい、系が安定しないという点である。
【課題を解決するための手段】
【０００７】
この問題点を解決するために、本発明に係るマグネトロン電源装置はパワースイッチとパルストランスを含めたインバータとマグネトロン発振器とを組み入れたマグネトロン電源装置であって、マグネトロン発振器のグランド側もしくは高圧側にコイル素子と、そのコイル素子と並列とした抵抗素子とを組み込んであることを特徴とし、前記したコイル素子と抵抗素子にはさらにバリスタを並列に組み込んであることを特徴としている。
【発明の効果】
【０００８】
上記した構成としたことによって高周波で電力を送るインバータを採用しながらも、従来は系の不安定の原因となっていたチョークコイルを不要とすることができ、新たに組み込まれるコイル素子とそれに並列とされる抵抗素子とによってリップルも除去することができ、系の安定を図り、性能を向上させることができることとなる。
【０００９】
これはインバータが２０ＫＨｚ〜１００ＫＨｚの高周波で電力を電送することとなり、ＡＣラインの５０Ｈｚや６０Ｈｚの場合と違いレスポンスが早くなるので、新しく組み込まれるコイル素子とそれと並列の抵抗素子のみでリップルも除去あるいは小さくすることができるのである。
【発明を実施するための最良の形態】
【００１０】
実施例として示す図１のように回路を構成することで実現した。
【実施例１】
【００１１】
次に、本発明の好ましい実施の一例を図１を参照して説明する。図１は本発明を実施したマグネトロン電源装置を示すブロック回路図である。
【００１２】
この図１として示すマグネトロン電源装置としての回路にも通常のＡＣラインから電力が入力される。このＡＣラインからの入力電力はブリッジ形成した整流器とコンデンサとより成るＡＣ整流平滑回路１によって整流、平滑される。
【００１３】
ＡＣ整流平滑回路１で整流、平滑された電力はパワースイッチング回路及びパルストランスとより構成されるインバータ２に入力される。このインバータ２からは２０ＫＨｚ〜１００ＫＨｚの高周波で電力を電送することとなる。このインバータ２からの高周波での電力電送によって、従前の５０Ｈｚや６０Ｈｚの場合と違ってレスポンスが早められることとなる。
【００１４】
このインバータ２からの高周波による電力は整流器とコンデンサとより成る高圧整流平滑回路３に供給され、そこで整流、平滑されてマグネトロン発振器４に電力が加えられる。また、この本実施例における回路ではマグネトロン発振器４の高圧側の従来チョークコイルが組み入れられた個所もしくはマグネトロン発振器４と高圧整流平滑回路３の結線中にコイル素子５とそのコイル素子５と並列とされた抵抗素子６及びバリスタ７のセットが組み込まれている。
【００１５】
この実施例を示す図１ではこのセットが三個所に記載されているが、これはこのうちのいずれの位置でも組み入れが可能で目的を達成できることを意味している。但し、最も理想的にはマグネトロン発振器４の高圧側、即ち、従前チョークコイルが組み入れられた位置とすることが好ましい。
【００１６】
インバータ２からの高周波電力のレスポンスが早いため、前記したコイル素子５とそれに並列とされた抵抗素子６によって、従前のチョークコイルがなくとも十分にリップルを除去し、あるいは小さくすることができることとなっている。ここで、コイル素子５と抵抗素子６とを並列に組み入れてあるのはコイル素子５のみでは不安定性が残ってしまうためで、抵抗素子６も組み入れることで系が安定する。バリスタ７は高周波電力急変時に発生する過電圧を減少させる補助的作用を行なう。なお、コイル素子５のリアクタンスも１／１００以内となる。
【００１７】
さらに、図中８は制御のためのコントロール回路を示しており、マグネトロン発振器４を流れる電流を定電流化して前記の制御を行なうこととしている。この定電流化の制御をインバータ２を用いながら安定して行なうため、前記したコイル素子５及び抵抗素子６が効を奏し、系を安定させ、性能を向上させることができる。又、このコントロール回路８はインバータ２、特にそのインバータ２を構成するパワースイッチング回路も制御するものとしている。
【００１８】
そして、前記したマグネトロン発振器４は従前と同様にヒータートランス９と接続されていることは勿論である。
【産業上の利用可能性】
【００１９】
本発明は上記した構成となっているので、電子レンジを想定したマグネトロン電源装置のほか、インバータを用いた回路で制御を定電流化して行なうタイプのものに応用することが可能である。
【図面の簡単な説明】
【００２０】
【図１】本発明を実施したマグネトロン電源装置を示すブロック回路図である。
【符号の説明】
【００２１】
１    ＡＣ整流平滑回路
２    インバータ
３    高圧整流平滑回路
４    マグネトロン発振器
５    コイル素子
６    抵抗素子
７    バリスタ
８    コントロール回路
９    ヒータートランス
【図１】
2008098082.tif 000003